(57)【要約】      （修正有）【課題】コンクリート製品の汚れ「墨色暮色」を快決し、劣化活動を止める為を課題とした事である。コンクリート製品は、疲弊と割れを修復させたいのです。その為に割れの内部をきれいにする方法を提供する。【解決手段】コンクリート製品の表現を豊に保ち、延命の導入が必要である。それと同時進行される、他の石積（例、大谷石、ブロック）等を風化作用と剥離とする「墨色暮色」方法と、藻類等を分離、取り除く工程作業である。さらに、植生物に被害が発生させない良水の活用を進め、「墨色暮色」分離、分解による離脱活動を進める事と仕上り表面に余分な筋などを付けない方法である。そして、化石燃料「ガソリン類」等の除外や油脂類の分離、分解に導く、電磁界の良水が、社会科学の謝思と美しさ、延命化をコンクリート製品に希望の姿として、活動が造れる。【選択図】図１
2017137722.tif 000002
【特許請求の範囲】
【請求項１】
本発明は、電磁界の法則による「マグネタイト水」の微細水と、元の姿に変化される化学的な方式より活躍する、コンクリート製品の延命化と油類の分離方法。
【発明の詳細な説明】
【技術分野】
【０００１】
本発明は、特許第３００４９１８号の装置が活躍を定め、マイケルファラーデ氏の電磁界の法則に一致された方法を最大限活用される方法である。
此の電磁界の法則を、コンクリート製品に当てはめる事でコンクリート製品の劣化防止の対応を進捗され、又、化石燃料の汚れと、動物、植物等など、墨色暮色に於いて、解決の分離を進めます。
【背景技術】
【０００２】
本発明の主な活躍対策、対応に対して、一番の目的は、コンクリート製品の劣化による汚れと、修復対応が作れない姿である。そして、近年の化石燃料の残材と、動植物油脂の弊害等により、対用年数の減少が判られる、コンクリート製品を困らせる症状である。そして、延命化が大切であり、油脂類も分離し正常な姿に戻す方法が必要である。
【０００３】
本発明を成功に導く化学的な法則は、次の様になり、此の法則を造り出す装置が大事である。
コンクリート製品を延命させる方法に、コンクリート製品を劣化に導く、油脂類が、悩ませる方法を与え続け、風化活動と共に活力を阻害される年代に於いて活動力が減少に向います。
※本発明には、次の条件を活用され、化学的効果を必要とする条件が、大切なコンクリート製品の延命に活躍される方法である。
※マイケルファラーデ氏が発明した電磁界の法則。鉄の赤錆（アカサビ）を除去して、黒錆（クロサビ）に変格されますと、赤錆の発生が止まり。黒錆の条態が造られて、鉄管（Ｆｅ）パイプ類が劣化原因を発生されない方法である。
※鉄（Ｆｅ）は、水（Ｈ２Ｏ）と、酸素（Ｏ２）が共存しうる事で、化学反応を進め、次第に鉄が錆（サビ）へと変化します。
物質が酸素（Ｏ２）と結び付く事を酸化原象と呼ぶ。
※特許第３００４９１８号の装置が電磁気装置を発達されます。鉄（Ｆｅ）の鉄管又は、パイプに、特許第３００４９１８号の装置を装着し、活動されますと、鉄（Ｆｅ）の赤錆（アカサビ）が発生を無し、電磁界の作用を受けて、防錆効果の有る黒錆（クロサビ）へと変化します。
以下にその反応式を説明します。
3Ｆｅ２Ｏ  ・ｎＨ２Ｏ  +  ｚｅ−    →（ＦｅＯ+Ｆｅ2Ｏ3）＝
酸化第二鉄    水          電子        酸化第一鉄
２Ｆｅ3Ｏ4    +  1/2Ｏ2    +  ｎＨ2Ｏ
マグネタイト    酸素
※特許第３００４９１８号の装置が発生する「電磁界」により、酸化第一鉄は、部分的に還元され、マグネタイト（２Ｆｅ3Ｏ4  ）が生成する。副次的に、水垢（水あか）の膨潤と、同時に剥離を持たらす蒸気ガスが発生する。発生したガスは、徐々に水に溶け込む。
３Ｆｅ（ＯＨ−）  →  Ｆｅ3Ｏ4    +  2Ｈ２Ｏ+Ｈ２    （Schikorr反応）
水酸化第一鉄        マグネタイト  ※水素          シッコール
※シッコール反応は：水酸化第一鉄が次第に分解して、マグネタイトが生成する
と同時に、※水素と水を発生する。
※水素は、水によりＨ3Ｏ+（オキソニウムイオン）として溶け込む事が多い。
※化学式中の「ｎ  Ｈ２Ｏ」の「ｎ」個は、任意の数（不特定多数）を表す。反応より生成した水や、反応に使われた水が、溶液の中にある水に混じる事を表して居る。
※海の水。海水にも、同様に活躍される装置である。
「1958年に誕生し、2015年迄、５７年間の栄光を継続中。」
【先行技術文献】
【特許文献】
【０００４】
【特許文献１】特許第３００４９１８号公報
【発明の概要】
【発明が解決しようとする課題】
【０００５】
マイケルファラーデ氏の開発である、電磁界の法則に一致された活動力の方法。
此の法則をクリアーする為の特許第３００４９１８号の装置。そして、販売し、効力の検証に知徳された幸運が、発明の開示を進めます。
又、特許第３００４９１８号の装置では、特許以後、約２０年間の研究開発に携えた方法を推進した事で販売と製造が、次の特許権となって居ました。その為に効果の実績が発表されない社会である。
【課題を解決するための手段】
【０００６】
本発明は、近代化の構造体を延命に導く方法を造り、コンクリート製品の困難な原因である劣化対策と、油脂類の活躍から初まる腐食反応に続く、浸食の活動などから保護活動に対応されるコンクリート製品である。
【発明の効果】
【０００７】
本発明は、特許第３００４９１８号の装置を活躍し、水質の浄化と共にコンクリート製品の延命化を促進される事を目的とした。そして、電磁化水の活動と、先に記した図１と図２の反応が良水となれる方法である。特徴では、化石燃料の残留物「油脂類」や鉱物に対して被害を与えない、分離に分解活動の推進が、本発明の効力を構成される方法である。図１と図２。此の結果、コンクリート面が活力を示し、上部のブロックも美しい姿を表します。さらに、タイル面に活躍し、大きな庭石にも、喜びを与えられるのと、洗剤類を活用されない事で植生物を守り、かえって良水を与える方法が、植物の育つ活力に貢献出来るのです。
図３の条件に関しては、本来の目的である水道管（パイプ）の赤い錆の状態を変化（ローレツカ）に導き、黒錆の状態を内面に造り上げ、２０１５年に於いて、５７年間の対応結果を実績として提供しております。又、果木（カボク）の木に潤を与えますと果実の味わいも深まる方法である。「柿の実良好」
又、調理場の油トラップに効力を与えられ、同時進行が培われる方法である。
【図面の簡単な説明】
【０００８】
【図１】擁壁に本発明を適用した状態を示す図
【図２】ブロック塀と基礎コンクリート面に本発明を適用した状態を示す図
【図３】工場内冷却水系統へ本発明を適用した状態を示す図（スケール抑制）
【図４】工場内冷却水系統へ本発明を適用した状態を示す図（シリカ抑制）
【発明を実施するための形態】
【０００９】
本発明は、コンクリート製品の風雨化原象と油脂類（化石燃料）（動物油脂）（植生物の油脂）等の混合物の汚れに対応する方法が必要であった。
そして、特許第３００４９１８号の装置が造る水流（電磁化水）に圧力を加え、墨色暮色の汚れた姿を、分離分解される方法をコンクリート製品に与える事で、コンクリート製品に付着されて居る強い汚れの原因を分離され、分解し、正常なコンクリート製品が蘇る反応を、最良の形態に出来る方法（写真Ａ）である。又、「写真Ｂ」では、鉄分の赤水、赤錆現状を減少される方法と、有機物の減少に対して、効力が確認されるのです。さらに、金シリカ性分の反応と色度（汚れ）に対する効果の水質検査の試料である。
さらに、本発明では、電磁化水流を植物に与えても、植物の環境対応は必要とされず、かえって喜ぶ幸福な水流です。
図１及び図２は、コンクリート製品と大谷石に通路のタイル面に道路の側溝のコンクリート板を対象にした、汚れ落し活動である。築３５年以上経過された「汚れ」を分離、分解され、水流の水切りと乾燥状態に知見により、蘇りのコンクリート製品が発生する方法である。又、コンクリート製品の活躍と、きれいな姿からは、延命の道標が可能となるのである。又、庭石の活力にも効果を示し、良好な姿を提供される方法である。庭石の役目は庭の姿を良好にする事と、庭の暖かさを与えます。
図３は、水質の汚れた姿に対し、効果を与える方法である。
・案件の特徴、赤錆と赤水の解消。鉄分の減少と有機物の減少方法に於いて、装着後、１ケ月後より減少効果が認められます。
図４は、水質の汚れた姿に対し、効果を与える方法である。
・案件の特徴、シリカ濃度の高い水質での装着案件。装着後２ケ月経過より、「シリカや色度と濁度の数値が大きく減少し、冷却水の水質に配管と機器の状態が改善していることが確認された現実である。
【図１】
2017137722.tif 000003
【図２】
2017137722.tif 000004
【図３】
2017137722.tif 000005
【図４】
2017137722.tif 000006